(57)【要約】      （修正有）【課題】原料を分散させると同時にタンク内壁を洗浄するノズルを提供する。【解決手段】原料の山を崩壊させるための高圧水と、タンク内壁を洗浄するためのシャワー水を同時に噴射することにより作業の効率化、装置の簡略化を実現した。複合ノズルは堆積した原料に対して水を噴射するノズル１と、タンク内に散水するシャワー用のノズルの二重構造を持ち、圧送用ホースから供給される水は圧送用ホース接続部５から２系統に分かれて各ノズルに供給される。原料への噴射水ノズル１先端には水圧を調節するための可変ノズルや噴射方向を調整できるノズルを設置することもできる。シャワー用水と噴射用水が同一の水圧送ホースにより供給されるため、噴射水の水圧が高く原料の飛散が激しい場合はシャワー水も広く拡散するという優れたものである。【選択図】図１
0003150067.tif 000002
【実用新案登録請求の範囲】
【請求項１】
圧送された供給水を圧送ホースとの接続部において二重管に分配して供給し、内管に供給された供給水を、圧送供給水の進行方向に噴出するノズル（Ｉ）と、外管に供給された供給水を二重管に対して垂直に接続した反射板により反射して圧送供給水の進行方向と反対方向に拡散して噴出するシャワーノズル（ＩＩ）からなる複合ノズル。
【請求項２】
ノズル（Ｉ）の流路断面積S１とシャワー水供給管の流路断面積Ｓ２の比Ｓ１／Ｓ２が０．０１〜５．０である請求項１記載の複合ノズル。
【請求項３】
反射板の断面が楕円形を長軸あるいは長軸と平行な線分で２分割した形状であり、該楕円形の長軸直径Ｌ１と短軸直径Ｌ２の比Ｌ１／Ｌ２が２〜１０である請求項１〜２に記載の複合ノズル。
【請求項４】
シャワー用水供給管の直径Ｌ３と請求項２記載のＬ２との比Ｌ２／Ｌ３が１．５〜５である請求項１〜３に記載の複合ノズル。
【考案の詳細な説明】
【技術分野】
【０００１】
本考案は原料浸漬タンクなどに設置される浸漬水噴霧用複合ノズルに関するものである。
【背景技術】
【０００２】
清酒などの酒類、醤油、味噌などの原料浸漬に際して、原料を圧送ホースなどにより浸漬タンクに投入すると、投下口の直下を頂点として原料が堆積してしまう。このような状態を回避するには櫂棒などにより手作業で櫂入れをし、平坦にする必要があった。大型タンクにおいては人手による作業には限界があるため、浸漬水を原料にめがけて噴射するなどして山を崩す方法などが取られてきた。あるいは蒸煮に際して原料の団塊が生じる場合は崩壊棒などにより崩壊させる方法なども用いられてきた。
【０００３】
【特許文献１】特開平６−１７８６６８号公報
【考案の開示】
【考案が解決しようとする課題】
【０００４】
しかしながら、これらの方法ではある程度の高圧水が必要であるうえ、高圧水により飛散する原料がタンク上部内壁に付着するという問題が生じたり、機械的に処理しようとするとタンクの構造が複雑になるなどの問題があった。
【課題を解決するための手段】
【０００５】
本考案は原料の山を崩壊させるための高圧水と、タンク内壁を洗浄するためのシャワー水を同時に噴射することにより作業の効率化、装置の簡略化を実現した。本考案の複合ノズルは堆積した原料に対して水を噴射するノズルと、タンク内に散水するシャワー用のノズルの二重構造を持ち、圧送用ホースから供給される水は圧送用ホース接続部から２系統に分かれて各ノズルに供給される。
【０００６】
シャワー用水は反射板により反射され原料への噴射水とは逆向きに反射される。シャワー用ノズルの先端部には反射板とシャワー用ノズルの間隙を調整するための調整リングが設置してあり、シャワー水の水圧を調整することができる。ここにいう調整リングは必ずしも可動性である必要は無く、水圧を調節させる必要が無ければ無設置でもかまわない。また、原料への噴射水ノズル先端には水圧を調節するための可変ノズルや噴射方向を調整できるノズルを設置することもできる。本考案品はシャワー用水と噴射用水が同一の水圧送ホースにより供給されるため、噴射水の水圧が高く原料の飛散が激しい場合はシャワー水も広く拡散するという優れたものである。
【考案の効果】
【０００７】
本考案によれば原料浸漬の際などに原料を分散させると同時に容易に容器壁を洗浄することができる。
【考案を実施するための最良の形態】
【０００８】
本考案者はタンク内壁を効率よく洗浄するためにはどのような反射板を設計したらよいか、およびシャワー用水をどのように供給したらよいか鋭意検討した結果、噴射水用の供給管とシャワー用水の供給管を二重構造にし、供給水の一部をシャワー水として用いると適正なシャワー水量が得られることが分かった。
【０００９】
水噴出ノズル１の流路断面積S１とシャワー水供給管５の流路断面積Ｓ２の比Ｓ１／Ｓ２は０．０１〜５．０が好ましいが、より好ましくは０．１〜２．０、より好ましくは０．５〜１．０であることが望ましい。また、反射板は平面ではなく曲面に加工すると広範囲に散水することができることがわかった。
【００１０】
この曲面の断面図は楕円形を長軸あるいは長軸と平行な線分で２分割した形状が望ましく、その長軸直径Ｌ１と短軸直径Ｌ２の比Ｌ１／Ｌ２は２〜１０が好ましいが、より好ましくは３〜６、より好ましくは４〜５であることが望ましい。
【００１１】
また、シャワー用水供給管の直径をＬ３とするとＬ２とＬ３の比Ｌ２／Ｌ３は１．５〜５であることが好ましいが、より好ましくは２〜４、より好ましくは２．５〜３であることが望ましい。
【００１２】
また、噴射水用の供給管先端にねじ式の調節リングを設置することにより噴射水用供給管の先端と反射板の間隙を調節することが可能となり、シャワー水の水圧を微調整することも可能となった。
【実施例】
【００１３】
この考案の実施例を図１〜図５により説明する。水噴出ノズル１にはシャワー水供給管が溶接部４により溶接され、接続部５により水圧送用ホースと接続される。圧送された水は図６に示すように、シャワー水供給管６と水噴出ノズル１に分かれて供給される。シャワー水供給管６に供給された水は反射板２により反射され、圧送水の進行方向とは逆向きにシャワー状に噴射される。この際、シャワー水の水圧は水圧調節リング３を調整することにより反射板と水圧調節リングの間隙を広げたり狭めたりして微調整することができる。本シャワーノズルは図７に示すようにタンク上部に設置し、水圧送ホースを連結する。噴出ノズルの角度を原料浸漬時の最高到達点に調整することにより効率よく原料を搬入することができる。
【産業上の利用可能性】
【００１４】
本考案のシャワーノズルは原料浸漬の際などに原料を分散させると同時に容器壁を洗浄する装置として有用である。
【図面の簡単な説明】
【００１５】
【図１】実施の形態であるシャワーノズルの正面図である。
【図２】図１に示すシャワーノズルの背面図である。
【図３】図１に示すシャワーノズルの側面図である。
【図４】図１に示すシャワーノズルを噴出ノズル側から見た図である。
【図５】図１に示すシャワーノズルを水圧送用ホース接続部側から見た図である。
【図６】図１に示すシャワーノズルの使用状態を断面図で示す説明図である。
【図７】図１に示すシャワーノズルをタンクに設置した状態を示す説明図である。
【符号の説明】
【００１６】
１  水噴出ノズル  
２  水反射板  
３  水圧調節リング  
４  水噴出ノズル溶接部  
５  水圧送用ホース接続部
６  シャワー水供給管
７  供給水
８  供給水圧送方向
９  シャワー水反射方向
１０  水噴出方向
１１  水圧送用ホース
１２  シャワーノズル
１３  原料
１４  浸漬タンク
１５  水噴出方向
１６  シャワー水反射方向
【図１】
0003150067.tif 000003
【図２】
0003150067.tif 000004
【図３】
0003150067.tif 000005
【図４】
0003150067.tif 000006
【図５】
0003150067.tif 000007
【図６】
0003150067.tif 000008
【図７】
0003150067.tif 000009
【手続補正書】
【提出日】平成21年2月19日(2009.2.19)
【手続補正１】
【補正対象書類名】実用新案登録請求の範囲
【補正対象項目名】全文
【補正方法】変更
【補正の内容】
【実用新案登録請求の範囲】
【請求項１】
圧送された供給水を圧送ホースとの接続部において二重管に分配して供給し、内管に供給された供給水を、圧送供給水の進行方向に噴出するノズル（Ｉ）と、外管に供給された供給水を二重管に対して垂直に接続した反射板により反射して圧送供給水の進行方向と反対方向に拡散して噴出するシャワーノズル（ＩＩ）からなる複合ノズル。
【請求項２】
反射板の断面が楕円形を長軸あるいは長軸と平行な線分で２分割した形状であり、該楕円形の長軸直径Ｌ１と短軸直径Ｌ２の比Ｌ１／Ｌ２が２〜１０である請求項１に記載の複合ノズル。